(57)【要約】【課題】カメラ部を備えた機器において、カメラや表示画面等の部品点数を増やすことなく、低コストかつ容易な構成で、通常撮影と自分撮りの両撮影を行えるようにする。【解決手段】カメラ部１６と、筐体１１と、自分撮り用の第１撮影用窓１３及び通常撮影用の第２撮影用窓１４と、各撮影用窓を遮光する遮光部材１５と、第１の撮影用窓より入射した撮影光を屈折させてカメラ部１６に伝える、第１反射部材１７及び第２反射部材１８とを備え、遮光部材１５と第１の反射部材１７とを連動させることで、遮光部材１５の位置の切り替えによって、通常撮影、自分撮りの両撮影が行えるようにした。【選択図】図５
2007116361.tif 000002
【特許請求の範囲】
【請求項１】
入射する撮影光の撮像を行うカメラ部と、
前記カメラ部を保持する筐体と、
前記筐体の正面と背面にそれぞれ設けられた第１および第２の撮影用窓と、
前記第１の撮影用窓の遮光を行う第１遮光部と、前記第２の撮影用窓の遮光を行う第２遮光部とを有し、いずれか一方の撮影用窓の遮光を選択的に行う遮光部材と、
前記第１の撮影用窓より入射する撮影光を屈折させる第１の反射部材と、
前記遮光部材の第２遮光部が第２の撮影用窓を遮光している状態で、前記第１の反射部材で屈折された撮影光を屈折させて前記カメラ部に入射させ、前記遮光部材の第１遮光部が前記第１の撮影用窓の遮光を行っている状態で、前記第２の撮影用窓から入射した撮影光を前記カメラ部に入射させる位置となる第２の反射部材とを備えたことを特徴とする
撮像装置。
【請求項２】
請求項１記載の撮像装置において、
前記筐体の正面側には、前記カメラ部で撮像された画像を表示する表示部を備えたことを特徴とする
撮像装置。
【請求項３】
請求項１記載の撮像装置において、
第１の反射部材とカメラ部の撮影光軸とのなす角度を、４５°より大きくしたことを特徴とする
撮像装置。
【請求項４】
入射する撮影光の撮像を行うカメラ部を備えた携帯端末において、
前記カメラ部を保持する筐体と、
前記筐体の正面と背面にそれぞれ設けられた第１および第２の撮影用窓と、
前記第１の撮影用窓の遮光を行う第１遮光部と、前記第２の撮影用窓の遮光を行う第２遮光部とを有し、いずれか一方の撮影用窓の遮光を選択的に行う遮光部材と、
前記第１の撮影用窓より入射する撮影光を屈折させる第１の反射部材と、
前記遮光部材の第２遮光部が第２の撮影用窓を遮光している状態で、前記第１の反射部材で屈折された撮影光を屈折させて前記カメラ部に入射させ、前記遮光部材の第１遮光部が前記第１の撮影用窓の遮光を行っている状態で、前記第２の撮影用窓から入射した撮影光を前記カメラ部に入射させる位置となる第２の反射部材とを備えたことを特徴とする
携帯端末。
【請求項５】
請求項４記載の携帯端末において、
前記筐体の正面側には、前記カメラ部で撮像された画像を表示する表示部を備えたことを特徴とする
携帯端末。
【請求項６】
請求項４記載の撮像装置において、
第１の反射部材とカメラ部の撮影光軸とのなす角度を、４５°より大きくしたことを特徴とする
携帯端末。
【発明の詳細な説明】
【技術分野】
【０００１】
本発明は、例えばカメラ部を内蔵した携帯電話端末に適用して好適な携帯端末及び撮像装置に関する。
【背景技術】
【０００２】
近年、携帯通信端末にカメラが搭載されるようになってきており、中でも、風景や人物を撮影できるだけでなく、撮影者自身を撮影する自分撮り（以下自分撮りと称する）の機能を有するものが普及してきている。風景などを撮影する通常撮影と自分撮りとでは、撮影方向が異なるため、以下のような様々な構成で、両撮影方向の撮影の実現化が図られている。
【０００３】
図１１及び図１２は、通常撮影用と自分撮り用の二台のカメラを内蔵させたタイプの携帯電話機の正面および背面の外観の例である。図１１に示すように、携帯電話機を構成する筐体１の正面には、ほぼ中央に表示部２が配置してあり、下側に操作キーなどで構成される操作部３が配置してある。そして、上部に第１カメラ部４が配置してある。また、図１２に示すように、筐体１の背面には、第２カメラ部５が配置してある。このような構成で、通常撮影は図１２に示した第２カメラ部５で、また自分撮りは図１１に示した第１カメラ部４にて行う。撮影時の構図の確認は、通常撮影、自分撮り時ともに表示部２にて行う構成としてある。
【０００４】
図１３は、通常撮影も自分撮りも、筐体背面側に設けられた一台のカメラを通して行うものの背面の外観の例である。この例では、筐体１の背面側にだけカメラ部５を配置し、図示しない正面側にはカメラ部を配置しない。カメラ部５の脇には、ミラー６を配置する。この構成の場合、通常撮影、自分撮り共にカメラ部５にて行い、撮影時の構図の確認は、通常撮影時は図示しない筐体正面側の表示部で、また自分撮り時はカメラ部５の横に配置されたミラー６を通して行うようにしてある。
【０００５】
図１４は、図１３の場合と同様に、一つのカメラで通常撮影と自分撮りの両撮影が行えるものの背面の例である。この例では、筐体１の背面にカメラ部５を配置し、さらに背面に第２表示部７を配置する。図示しない正面側に表示部を備え、第２表示部７はサブ画面として使用する。この構成の場合には、通常撮影、自分撮りの両撮影をカメラ部５にて行うところまでは図１３の例と同様だが、自分撮り時の構図の確認を、第２表示部７（サブ画面）で行うようにしてある。
【０００６】
特許文献１には、反射鏡モジュールを使用することで、カメラや画面を複数設置することなく、通常撮影と自分撮り撮影の切り替えを行えるようにしたものについての開示がある。
【特許文献１】特開２００５−１１０１９６号公報
【発明の開示】
【発明が解決しようとする課題】
【０００７】
ところが、筐体にカメラや画面を複数配置するとなると、その分だけ製造コストが高くなってしまうという問題があった。
【０００８】
また、特にミラーを通して自分撮り時の構図の確認を行う場合においては、ミラーの大きさがカメラと同じ程度に小さく抑えられたものが多いため、小さいミラーを通してでは構図を決めづらいという問題があった。
【０００９】
また特許文献１記載の構成の場合においては、通常撮影時、自分撮り時のどちらもカメラへの入射光は反射板を通して伝えられるため、自分撮りの時だけでなく、通常撮影時の画像にも歪みが生じたり、光量が低下したりしてしまうという問題があった。
【００１０】
本発明はかかる点に鑑みてなされたものであり、容易な構成で、かつ低コストにて、通常撮影と自分撮り撮影の両撮影を行えるようにすることを目的とする。
【課題を解決するための手段】
【００１１】
本発明は、カメラ部と、カメラ部を保持する筐体と、筐体の正面および背面に設けられた第１及び第２の撮影用窓と、それぞれの撮影用窓を排他的に遮光する遮光部材と、第１の撮影用窓より入射した撮影光を屈折させてカメラ部に伝える、第１および第２の反射部材とを備える構成とし、遮光部材と第１の反射部材とを連動させる構成とする。
【００１２】
このようにしたことで、遮光部材を操作することにより、撮影方向とは反対の撮影用窓からの入射光を防ぐことができ、かつ、この動きに連動させて第１の反射部材を通常撮影光軸を遮る位置、または遮らない位置に移動させる構成とすることで、通常撮影と自分撮りの両方向における撮影が行えるようになる。
【発明の効果】
【００１３】
本発明によると、遮光部材と第１の反射部材とを連動させ、位置を切り替えることで、筐体の正面および背面のどちらの撮影光をもカメラ部に入射させる事ができる為、カメラ部を複数設置したり、表示画面を複数設置したりすることなく、カメラ部一つにて通常撮影と自分撮りの両撮影が実現でき、製造コストを低減することができる。
【００１４】
この場合、通常撮影、自分撮りどちらにおける撮影光も、カメラ部で撮影されて表示部に表示されるため、通常撮影、自分撮りのどちらにおいても、大きなメイン表示画面にて構図を確認することができる。
【００１５】
また、不要光がカメラ内部に入ってしまうと、乱反射してカメラ部に入射した場合に、撮影の画質の劣化を引き起こす恐れがあるが、本発明においては、遮光部材が撮影方向と反対側の撮影用窓からの入射光を遮光するため、カメラ内部に不要な光が入るのを防ぐことができる。
【発明を実施するための最良の形態】
【００１６】
以下、本発明の一実施の形態を、図１〜図６を参照して説明する。
【００１７】
本発明の一実施の形態による携帯通信端末の外観の例を図１、図２に示す。図１、図２共に、携帯通信端末の一例として、ひとつの筐体で構成するカメラ付き携帯電話機を示している。図１は正面の外観を示し、図２は背面の外観を示している。図１に基づいて正面側の構成を説明すると、カメラ付き携帯電話機本体を構成する筐体１０には、液晶表示パネルなどで構成される表示部１１、数字などのダイヤルキー、各種機能キーで構成される操作部１２が配置してあると共に、図示はしないが上端にスピーカ、下端にマイクが配置してある。表示部１１には、電話としての使用時には、電話番号、送受信するメール文などが表示され、カメラ装置としての使用時には、撮像された画像が表示される。
【００１８】
また表示部１１の上方に、自分撮り時の撮影者自身の像光を取り込むための第１撮影用窓１３が配置されている。撮影用窓としては、ガラスもしくはアクリルなどの、透明な材質の板を使用する。第１撮影用窓１３は、第１遮光部１５ａを備えており、通常撮影時に第1撮影用窓１３を閉口することにより、第１撮影用窓１３からの入射光を遮光するようにしてある。
【００１９】
図２に基づいて背面側を説明すると、筐体１０の背面には、通常撮影時に筐体１０背面側の被写体光を取り込む第２撮影用窓１４が配置してある。この第２撮影用窓１４も、自分撮り時に閉口して第２撮影用窓１４からの入射光を遮光する第２遮光部１５ｂを備えている。第１遮光部１５ａと第２遮光部１５ｂとは、共に一つの遮光部材１５上に設けられており、遮光部材１５が第１撮影用窓１３、第２撮影用窓１４のいずれか一方を遮光している時には、もう一方は開口される構成としてある。
【００２０】
次に、図３を参照し、筐体１０の内部構造について説明する。図３は、筐体の内部構成を示すブロック図である。筐体１０内部にはカメラ部１６が配置されており、第１撮影用窓１３もしくは第２撮影用窓１４から入射される撮影光が撮像される構成にしてある。撮影用のレンズについても、カメラ部１６に取付けてある。通常撮影時の撮影光は、第２撮影用窓１４を通してカメラ部１６へ入射され、自分撮り時の撮影光は、第１撮影用窓１３より入射し、第２反射部材１８、第１反射部材１７を経由してカメラ部１６に伝えられるようにしてある。第１反射部材１７と遮光部材１５とは互いに連動させてある。第２反射部材１８及び第１反射部材１７の具体的な配置状態については後述する。
【００２１】
また、自分撮り時の撮影光は、第２反射部材１８、第１反射部材１７により順次屈折されてカメラ部１６に伝えられることで上下位置が反転してしまうため、信号処理部にて反転の補正を行わせるようにしてある。補正後の撮像信号は表示部１１に伝えられ、画像として表示される構成としてある。
【００２２】
次に、筐体上部を側面から見た断面図である図４と図５を参照して、筐体１０内における遮光材１５と第１および第２反射部材の位置関係について説明を行う。図４は通常撮影時、図５は自分撮り時の筐体１０内部の構成を示す図である。図４における破線は通常撮影時の光路を示し、図５での破線は自分撮り時の光路を表現している。なお、カメラ部１６の光軸方向は筐体１０の背面方向を指しており、そちらを通常撮影方向としてある。第２反射部材１８は、通常撮影時の光路を遮る位置（図５の第１反射部材１７の位置）に入ることで、通常撮影の光路を筐体１０内の上方の第１撮影用窓１３の方面へ折り曲げることのできる、所定の角度を有するようにしてある。本例では、第１反射部材１７の位置を筐体１０内のなるべく手前側に設定させることによって筐体１０の薄型化を図るため、その角度θを４５°以上の、たとえば５０°に設定してある。
【００２３】
また第１反射部材１７には、上下にスライドする機構を持たせており、通常撮影時には、通常撮影時の光路を遮らない第１の位置（図４の第１反射部材１７の位置）に移動し、自分撮り時には、通常撮影時の光路を遮る第２の位置（図５の第１反射部材１７の位置）に移動させるようにしてある。また、第１反射材１７と遮光部材１５とを連動させることにより、上記の第１反射部１７の位置の切り替えは、遮光部材１５の位置の切り替えによってなされるようにしてある。具体的には、遮光部材１５を、第１遮光部材１３を遮光する位置に移動させると、第１反射材１７が第１の位置に移動し、遮光部材１５を、第２遮光部材１４を遮光する位置に移動させると、第１反射部材１７が第２の位置に移動する構成としてある。
【００２４】
第２反射部材１８は、第１反射部材１７により折り曲げられた光路を、第１撮影用窓方向にさらに折り曲げる角度で設けられている。
【００２５】
次に、通常撮影時と自分撮り時の動作について、同じく図４と図５を参照して説明する。通常撮影を行う際は、遮光部材１５を、第１撮影用窓１３を遮光させる位置に移動させる。この動作に連動し、第２撮影用窓１４が開口し、第１反射部材１７が通常撮影時の光路を遮らない第１の位置に移動する。この動作により、筐体１０の背面側の被写体の像光が第２撮影用窓を経由してカメラ部１６に入射し、撮像された画像は表示部１１にて表示される。
【００２６】
自分撮りを行う場合は、遮光部材１５を、第２撮影用窓１４を遮光させる位置に移動させる。この動作に連動して第１撮影用窓１３が開口し、第１反射部材１７がカメラ部１６の光軸を遮る第２の位置に移動する。この動作により、第１撮影用窓１３から撮影者自身の像光が入射され、第２反射部材１８、第１反射部材１７により順次屈折されてカメラ部１６に結像される。
【００２７】
カメラ部１６に伝えられた撮影光は、必要に応じ信号処理部にて反転補正処理が行われる。ここで、信号処理部での処理と、処理後の表示処理について、図１１を参照にして説明する。信号処理部では、カメラ部１６から撮像信号を受信すると（ステップＳ１）、その撮像信号が通常撮影によって得られたものなのか、または自分撮りによって得られたものなのかを判断し（ステップＳ２）、通常撮影によるものであればそのまま表示部１１に表示する（ステップＳ３）。自分撮り撮影によるものと判断した場合は（ステップＳ２）、反転補正の処理を行い（ステップＳ４）、補正後の画像を表示部１１に表示させる（ステップＳ３）。
【００２８】
このように構成したことで、１つのカメラ部で正面側と背面側での両方からの撮影が行える。即ち、遮光部材１５と第１の反射部材１７とを連動させ、位置を切り替えることで、筐体１０の正面および背面のどちらの撮影光をもカメラ部１６に入射させる事ができる為、カメラ部を複数設置したり、表示画面を複数設置したりすることなく、１つのカメラ部１６にて通常撮影と自分撮りの両撮影が実現でき、製造コストを低減することができる。
【００２９】
この場合、通常撮影、自分撮りどちらにおける撮影光も、カメラ部１６で撮影されて表示部１１に表示されるため、通常撮影、自分撮りのどちらにおいても、大きなメイン表示画面にて構図を確認することができる。
【００３０】
また、不要光がカメラ内部に入ってしまうと、乱反射してカメラ部１６に入射した場合に、撮影の画質の劣化を引き起こす恐れがあるが、本例においては、遮光部材１５が撮影方向と反対側の撮影用窓からの入射光を遮光するため、カメラ内部に不要な光が入るのを防ぐことができ、撮影画質の画質化を図ることができる。さらに、第２撮影用窓１４から入射した撮影光を撮影する際には、反射部材１７，１８で反射されない像光を直接撮影するので、反射部材１７，１８の影響による画質の劣化がない。
【００３１】
また、本例の構成のように筐体内部のカメラ部１６の前面に反射部材１７を配置する構成とすると、それだけ筐体１０に配置する部品が増えて、筐体１０の厚みが厚くなるが、本例においては、図５に示したように、反射部材１７の配置角度θを、４５°よりも大きい角度としたことで、反射部材１７を直立に近い状態に配置でき、それだけ筐体１０の厚みを薄くすることができる。
【００３２】
なお、ここまで上述した実施の形態では、遮光部材１５を操作することにより、それに連動して第１反射部材１７の位置も切り替わる構成としたが、第１反射部材１７側を操作することで、遮光部材１５の位置の切り替えが行われるようにしてもよい。この場合は、筐体１０のいずれかに切り替えスイッチを設け、切り替えスイッチを反射部材１５に連動させ、切り替えスイッチによって反射部材１５を操作できるようにしても良い。
【００３３】
また、第１反射部材１７における第１の位置は、筐体内のカメラ部下方として説明したが、カメラ部の通常撮影光軸を遮らない位置でありかつ上下の移動によって第２の位置に移動可能な位置であれば良いため、筐体１０内のカメラ部上部としてもよい。即ち、例えば図６に示したように、第１反射部材１７′として、通常撮影時にはカメラ部１６の上方に位置し、自分撮り時には破線で示すようにカメラ部１６の直前に位置する構成としてもよい。
【００３４】
また、携帯通信端末本体の筐体の形状は１個の筐体として説明したが、２つの筐体を組み合わせた形状の折り畳み型の携帯通信端末や、２つの筐体をスライド式で接続したスライド型携帯通信端末でもよい。図８から図１０の例は、第１筐体３０と第２筐体４０をスライド可能に接合した携帯電話端末の例である。図８及び図９に示すように、２つの筐体３０，４０を上下にスライド自在に接続した構成とした上で、第１筐体３０の正面の上部に第１撮影用窓３１を配置し、中央に表示部３２を配置し、下部に操作部３３を配置する。また、図９に示すように、第２筐体４０の正面の下部に操作部４１を配置する。さらに、図１０に示すように、第１筐体４０の背面の上部に、第２撮影用窓３５を配置する。
【００３５】
第１筐体３０の内部では、図４、図５に示した機構と同様の反射部材の配置で、１つのカメラ部で撮影できる機構とする。ここで、正面側の第１撮影用窓３１については、内部に遮光部材３４を配置し、第２筐体４０を下方にスライドさせた場合（図９、図１０の状態）に、第１撮影用窓３１を遮るように位置し、第２筐体４０を上方にスライドさせた場合（図８の状態）に、第１撮影用窓３１から外れた位置となるようにする。
【００３６】
このように構成したことで、図８に示した畳んだ形状とした場合に、自分撮りが行え、スライドさせて開いた形状とした場合に、通常撮影が行える。
【００３７】
また、上述した実施の形態では、第１反射部材１７と第２反射部材１８とを別々の部品として説明を行ったが、集約させてひとつの部品としてもよい。
【００３８】
また、以上説明した実施の形態では、携帯電話機にカメラ部が取り付けられた場合について説明したが、カメラ部を有する撮像装置であればその形態を問わず適用可能である。例えば、携帯電話機以外の各種携帯用端末装置にカメラ部を内蔵させる場合にも適用可能である。
【図面の簡単な説明】
【００３９】
【図１】本発明の一実施の形態によるカメラ付き携帯電話機の正面の例を示す斜視図である。
【図２】本発明の一実施の形態によるカメラ付き携帯電話機の背面の例を示す斜視図である。
【図３】本発明の一実施の形態によるカメラ付き携帯電話機の内部構成例のブロック図である。
【図４】本発明の一実施の形態による通常撮影時の筐体の部分断面図である。
【図５】本発明の一実施の形態による自分撮り時の筐体の部分断面図である。
【図６】本発明の一実施の形態によるカメラ付き携帯電話機の変形例を示す説明図である。
【図７】本発明の一実施の形態によるカメラ付き携帯電話機における処理手順の例を示すフローチャートである。
【図８】本発明の他の実施の形態によるカメラ付き携帯電話機の閉じた状態の正面の例の斜視図である。
【図９】本発明の他の実施の形態によるカメラ付き携帯電話機の開いた状態の正面の例の斜視図である。
【図１０】本発明の他の実施の形態によるカメラ付き携帯電話機の背面の例の斜視図である。
【図１１】従来のカメラ付き携帯電話機の正面の一例を示す斜視図である。
【図１２】従来のカメラ付き携帯電話機の背面の一例を示す斜視図である。
【図１３】従来のカメラ付き携帯電話機の背面の他の例を示す斜視図である。
【図１４】従来のカメラ付き携帯電話機の背面のさらに他の例を示す斜視図である。
【符号の説明】
【００４０】
１…筐体、２…表示部、３…操作部、４…第１カメラ部、５…第２カメラ部、６…反射板、７…第２表示部、１０…筐体、１１…表示部、１２…操作部、１３…第１撮影用窓、１４…第２撮影用窓、１５…遮光部材、１５ａ…第１遮光部材、１５ｂ…第２遮光部材、１６…カメラ部、１７…第１反射部材、１８…第２反射部材、２１…信号処理部、３０…第１筐体、３１…第１撮影用窓、３２…表示部、３３…操作部、３４…遮光部材、３５…第２撮影用窓、４０…第２筐体、４１…操作部
【図１】
2007116361.tif 000003
【図２】
2007116361.tif 000004
【図３】
2007116361.tif 000005
【図４】
2007116361.tif 000006
【図５】
2007116361.tif 000007
【図６】
2007116361.tif 000008
【図７】
2007116361.tif 000009
【図８】
2007116361.tif 000010
【図９】
2007116361.tif 000011
【図１０】
2007116361.tif 000012
【図１１】
2007116361.tif 000013
【図１２】
2007116361.tif 000014
【図１３】
2007116361.tif 000015
【図１４】
2007116361.tif 000016